(57)【要約】【課題】ネジ止め及び押え片の接触による歪みの各反射面に対する影響が平等且つ僅少であって、ミラー押え部材の取付作業が容易化するポリゴンミラー・モータの提供。【解決手段】ポリゴンミラー・モータは、回転軸１に設けた回転盤２の中央突部に嵌合する中央孔５ａを有し、回転盤２のミラー受部２ａに着座したポリゴンミラー５と、固定用ネジ６の螺着により回転軸１の上端部に固定されており、中心から放射方向へそれぞれ等距離張り出た６片の押えバネ片７ｂでポリゴンミラー５を押え込むミラー押え部材７とを備える。固定用ネジ６は回転軸１の上端部の中心に螺着している。押えバネ片７ｂの折曲部Ｆはその下端辺Ｅの中央が下方に突出した棘状突片Ｓを有する。この尖端Ｐが、ポリゴンミラー５の中心から等距離で各反射面Ｒ間の各角部Ｄを結ぶ各線上に設けたテーパ穴Ｈに係合し、尖端Ｐとテーパ穴Ｈとが押え部材位置決め手段を構成している。【選択図】      図２
2007292916.tif 000002
【特許請求の範囲】
【請求項１】
回転軸に設けた回転盤の中央突部に嵌合する中央孔を有し、前記回転盤のミラー受部に着座したポリゴンミラーと、固定用ネジの螺着により前記回転軸の上端部に固定されており、中心から放射方向へそれぞれ等距離張り出た複数の押えバネ片で前記ポリゴンミラーを押え込むミラー押え部材とを備えたポリゴンミラー・モータにおいて、
前記固定用ネジは前記回転軸の上端部の中心に螺入して当該上端部と前記ミラー押え部材の中心部分を挟着し、前記各押えバネ片の前記ポリゴンミラーの上面に接する各圧接部位を当該ポリゴンミラーの中心から各反射面間の各角部を結ぶ各線上の各被圧接部位に定置するための押え部材位置決め手段を有して成ることを特徴とするポリゴンミラー・モータ。
【請求項２】
請求項１に記載のポリゴンミラー・モータにおいて、前記押え部材位置決め手段は、前記圧接部位と前記被圧接部位との雌雄係合構造であることを特徴とするポリゴンミラー・モータ。
【請求項３】
請求項２に記載のポリゴンミラー・モータにおいて、前記押えバネ片はその先端側を前記ポリゴンミラーの上面側に折り曲げて成る折曲部を有し、前記折曲部はその下端辺の中央が下方に突出した棘状突片を有し、前記押え部材位置決め手段は、前記棘状突片の尖端を前記圧接部位とし、この尖端が係合するテーパ穴の穴底中心を前記被圧接部位として成ることを特徴とするポリゴンミラー・モータ。
【請求項４】
請求項３に記載のポリゴンミラー・モータにおいて、前記圧接部位は前記棘状突片外の前記下端辺も含み、前記被圧接部位は前記テーパ穴外の近傍平坦面のうち前記下端辺が当接する部分も含むことを特徴とするポリゴンミラー・モータ。
【請求項５】
請求項１に記載のポリゴンミラー・モータにおいて、前記押え部材位置決め手段は、前記ミラー押え部材のうち前記圧接部位以外の部分と前記ポリゴンミラーのうち前記被圧接部位以外の部分との雌雄係合構造であることを特徴とするポリゴンミラー・モータ。
【請求項６】
請求項５に記載のポリゴンミラー・モータにおいて、前記押えバネ片はその先端側を前記ポリゴンミラーの上面側に折り曲げて成る折曲部を有し、前記折曲部はその下端辺の中央を切り欠いて成る湾曲状切欠き部を有し、前記ポリゴンミラーの上面は前記湾曲状切欠き部が隙間嵌めで係合する球面状突起を有し、前記押え部材位置決め手段は前記湾曲状切欠き部と前記球面状突起とから成り、前記下端辺を前記圧接部位とし、前記球面状突起外の近傍平坦面のうち前記下端辺が当接する部分を前記被圧接部位とすることを特徴とするポリゴンミラー・モータ。
【発明の詳細な説明】
【技術分野】
【０００１】
本発明は、ポリゴンミラー・モータに関し、特に、ポリゴンミラーの固定構造に関する。
【背景技術】
【０００２】
特開平１１−１１９１３９においては、ポリゴンミラーの固定構造が開示されている。この固定構造は、中心穴を回転軸の上端部から回転軸に嵌合すると共に回転軸に設けたフランジの上面に着座するポリゴンミラーと、この上面との間でポリゴンミラーを押えるミラー押え部材と、このミラー押え部材を回転軸上端面に螺着固定するための３本の固定用ネジとを備え、ミラー押え部材がポリゴンミラーの上面と接する接触面は断続的に円周方向に等間隔で配置された複数の押え片であり、各押え片はポリゴンミラー外周の各反射面間の各角部とポリゴンミラー中心とを結ぶ各線上に夫々配置されて成る。ポリゴンミラー反射面の歪みは角部に集中して発生し、各角部が均等に変形することになる。その結果、ミラー面精度の各面バラツキを少なくすることができる。
【特許文献１】特開平１１−１１９１３９（図５）
【発明の開示】
【発明が解決しようとする課題】
【０００３】
しかしながら、３本の固定用ネジをポリゴンミラー中心と一つおきの反射面の中央とを結ぶ放射線上に夫々螺着しているため、反射面へ影響する歪みは隣接反射面同士では明らかに差がある。また、３本の固定用ネジの締め付け度合いによっても、ミラー面精度の各面バラツキが生じ易いので、締め付け度合いの管理が必要とし、ネジの螺着作業は入念さが要求される。
【０００４】
そこで上記問題点に鑑み、本発明の課題は、ネジの螺着及び押え片の接触による歪みの影響を各反射面で平等且つ僅少とでき、しかもミラー押え部材の取付作業の容易化を実現できるポリゴンミラー・モータを提供することにある。
【課題を解決するための手段】
【０００５】
本発明は、回転軸に設けた回転盤の中央突部に嵌合する中央孔を有し、回転盤のミラー受部に着座したポリゴンミラーと、固定用ネジの螺着により回転軸の上端部に固定されており、中心から放射方向へそれぞれ等距離張り出た複数の押えバネ片でポリゴンミラーを押え込むミラー押え部材とを備えたポリゴンミラー・モータにおいて、固定用ネジは回転軸の上端部の中心に螺入して上端部とミラー押え部材の中心部分を挟着し、各押えバネ片のポリゴンミラーの上面に接する各圧接部位をポリゴンミラーの中心から各反射面間の各角部を結ぶ各線上の各被圧接部位に定置するための押え部材位置決め手段を有して成ることを特徴とする。
【０００６】
唯一の固定用ネジを回転軸の上端部の中心に螺入して上端部とミラー押え部材の中心部分を挟着しているため、その中心部分での挟着による各反射面への歪み波及は平等且つ僅少となる。しかも、各押えバネ片のポリゴンミラーの上面に接する各圧接部位がポリゴンミラーの中心から各反射面間の各角部を結ぶ各線上の各被圧接部位であるため、各反射面への歪み波及は平等であり、また歪みは角部に集中するので、反射面への影響を抑えることができる。
【０００７】
加えて、各押えバネ片のポリゴンミラーの上面に接する各圧接部位をポリゴンミラーの中心から各反射面間の各角部を結ぶ各線上の各被圧接部位に定置する作業では、目見当や治具を用いるのではなく、ポリゴンミラー・モータが個別に押え部材位置決め手段を有しているため、取付作業の容易化に資する。
【０００８】
この押え部材位置決め手段としては、ミラー押え部材の圧接部位とミラー押え部材の被圧接部位との雌雄係合構造とすることができる。例えば、押えバネ片はその先端側をポリゴンミラーの上面側に折り曲げて成る折曲部を有し、この折曲部はその下端辺の中央が下方に突出した棘状突片を有し、押え部材位置決め手段としては、棘状突片の尖端を圧接部位とし、この尖端が係合するテーパ穴の穴底中心を被圧接部位として成る。定置作業においては、固定用ネジを緩めた状態でミラー押え部材を回すと、尖端がテーパ穴を滑り落ちて穴底中心で止まり位置決めできるので、その後、固定用ネジを螺着すれば好い。尖端は穴底中心で点接触となり、ポリゴンミラーの反射面よりも角部に歪みが集中波及するので、各反射面の精度バラツキを一層抑制できる。
【０００９】
ただ、ポリゴンミラー・モータの起動時などでは、尖端がテーパ面に若干乗り上げ、回り止めが緩くなる虞れがある為、圧接部位として棘状突片外の下端辺も含み、被圧接部位としてはテーパ穴外の近傍平坦面のうち下端辺が当接する部分も含むように、例えば棘状突片を長く、テーパ穴を深くすることが望ましい。下端辺はテーパ穴外の近傍平坦面の回転方向に線接触して摩擦止め効果もあることから、位置決めの僅少な緩みも抑制できる。
【００１０】
押え部材位置決め手段としては、ミラー押え部材のうち圧接部位以外の部分とポリゴンミラーのうち被圧接部位以外の部分との雌雄係合構造とすることができる。例えば、押えバネ片はその先端側をポリゴンミラーの上面側に折り曲げて成る折曲部を有し、この折曲部はその下端辺の中央を切り欠いて成る湾曲状切欠き部を有し、ポリゴンミラーの上面は湾曲状切欠き部が隙間嵌めで係合する球面状突起を有し、押え部材位置決め手段は湾曲状切欠き部と球面状突起とから成り、下端辺を圧接部位とし、球面状突起外の近傍平坦面のうち下端辺が当接する部分を被圧接部位とする。
【００１１】
定置作業においては、固定用ネジを緩めた状態でミラー押え部材を回すと、湾曲状切欠き部が球面状突起に係合して位置決めできるので、その後、固定用ネジを螺着すれば好い。下端辺は球面状突起外の近傍平坦面の回転方向に線接触して摩擦止め効果もあることから、位置決めの僅少な緩みも抑制できる。
【発明の効果】
【００１２】
本発明に係るポリゴンミラー・モータによれば、固定用ネジの螺着及び押えバネ片の接触による各反射面での歪みの影響を平等且つ僅少とでき、また押え部材位置決め手段を有しているため、ミラー押え部材の圧接部位とポリゴンミラーの被圧接部位との位置決めが画一化し、ミラー押え部材の取付作業が容易となる。
【発明を実施するための最良の形態】
【００１３】
次に、本発明の実施形態を添付図面に基づいて説明する。
【実施例１】
【００１４】
図１は本発明の実施例１に係るポリゴンミラー・モータのロータを示す平面図、図２（Ａ）は図１中のＡ−Ａ線で切断した状態を示す断面図、図２（Ｂ）は図２（Ａ）中のＺ部の拡大図である。
【００１５】
本例のポリゴンミラー・モータのロータは、回転軸１の上部に圧入固定した回転盤２と、この回転盤２の下面にカシメ固定したロータケース３と、このロータケース３の内周面に固定したマグネット４と、回転盤２の中央突部（図示せず）に嵌合する中央孔５ａを有し、回転盤２のミラー受部２ａに着座したポリゴンミラー５と、固定用ネジ６で固定されてポリゴンミラー５を押さえ込むミラー押え部材７とを有している。
【００１６】
固定用ネジ６は回転軸１の上端部の中心に螺入してこの上端部とミラー押え部材７の中心部分を挟着している。ミラー押え部材７は、中心に取付孔（図示せず）を持つ中央板部７ａとこれと一体的にそれぞれ放射方向に等距離張り出た６片の押えバネ片７ｂとから成る。各押えバネ片７ｂはその先端側をポリゴンミラー５の上面側に折り曲げて垂下した折曲部Ｆを有する。この折曲部Ｆはその下端辺Ｅの中央が下方に突出した棘状突片Ｓを有し、この棘状突片Ｓの尖端Ｐがポリゴンミラー５の上面に接する圧接部位となっている。一方、ポリゴンミラー５の中心から等距離で各反射面Ｒ間の各角部Ｄを結ぶ各線上に、テーパ穴Ｈが形成されている。尖端Ｐとテーパ穴Ｈとが押え部材位置決め手段を構成している。
【００１７】
唯一の固定用ネジ６を回転軸１の上端部の中心に螺入してこの上端部とミラー押え部材７の中央板部７ａの取付孔（図示せず）付近を挟着しているため、その取付孔付近での挟着による各反射面Ｒへの歪み波及は平等且つ僅少となる。しかも、各押えバネ片７ｂの尖端Ｐの接するテーパ穴Ｈの穴底中心がポリゴンミラー５の中心から各反射面Ｒ間の各角部Ｄを結ぶ各線上にあるため、各反射面Ｒへの歪み波及は平等であり、また歪みは角部Ｄに集中するので、反射面Ｒへの影響を抑えることができる。
【００１８】
加えて、各押えバネ片７ｂの尖端Ｐをテーパ穴Ｈ内に位置決めする作業では、固定用ネジ６を緩めた状態でミラー押え部材７を回すと、尖端Ｐがテーパ穴Ｈを滑り落ちて穴底中心で止まり位置決めできるので、その後、固定用ネジ６を螺着すれば好い。このためミラー押え部材７の取付作業が容易となる。また、尖端Ｐは穴底中心で点接触となり、ポリゴンミラー５の反射面Ｒよりも角部Ｄに歪みが集中波及するので、各反射面Ｒの精度バラツキを一層抑制できる。
【実施例２】
【００１９】
図３（Ａ）は本発明の実施例２に係るミラー押え部材とポリゴンミラーとの位置決め構造を示す断面図、図３（Ｂ）は図３（Ａ）中のＺ部の拡大図である。なお、図３において図２に示す部分と同一部分には同一参照符号を付し、その説明を省略する。
【００２０】
本例においては、ミラー押え部材７′の折曲部Ｆ′の棘状突片Ｓ′は図２に示す棘状突片Ｓよりも長く、ポリゴンミラー５′のテーパ穴Ｈ′は図２に示すテーパ穴Ｈよりも深くなっており、下端辺Ｅもテーパ穴Ｈ′外の近傍平坦面に接触している。下端辺Ｅはテーパ穴Ｈ′外の近傍平坦面の回転方向に線接触して摩擦止め効果もあることから、位置決めの僅少な緩みも抑制できる。
【実施例３】
【００２１】
図４（Ａ）は本発明の実施例３に係るミラー押え部材とポリゴンミラーとの位置決め構造を示す断面図、図４（Ｂ）は図４（Ａ）中のＺ部の拡大図である。なお、図４において図２に示す部分と同一部分には同一参照符号を付し、その説明を省略する。
【００２２】
本例では、押え部材位置決め手段は、ミラー押え部材７″のうち圧接部位以外の部分とポリゴンミラー５″のうち被圧接部位以外の部分との雌雄係合構造となっている。即ち、ミラー押え部材７″における折曲部Ｆ″の下端辺ｅの中央には湾曲状切欠き部Ｙが切欠き形成されている。また、ポリゴンミラー５″の上面には湾曲状切欠き部Ｙが隙間嵌めで係合する球面状突起Ｘが形成されている。したがって、押え部材位置決め手段は湾曲状切欠き部Ｙと球面状突起Ｘとから成り、下端辺ｅが圧接部位で、球面状突起Ｘ外の近傍平坦面のうち下端辺ｅの当接する部分が被圧接部位となる。
【００２３】
定置作業においては、固定用ネジ６を緩めた状態でミラー押え部材７″を回すと、湾曲状切欠き部Ｙが球面状突起Ｘに係合して位置決めできるので、その後、固定用ネジ６を螺着すれば好い。下端辺ｅは球面状突起Ｘ外の近傍平坦面の回転方向に線接触して摩擦止め効果もあることから、位置決めの僅少な緩みも抑制できる。
【図面の簡単な説明】
【００２４】
【図１】本発明の実施例１に係るポリゴンミラー・モータのロータを示す平面図である。
【図２】（Ａ）は図１中のＡ−Ａ線で切断した状態を示す断面図、（Ｂ）は（Ａ）中のＺ部の拡大図である。
【図３】（Ａ）は本発明の実施例２に係るミラー押え部材とポリゴンミラーとの位置決め構造を示す断面図、（Ｂ）は（Ａ）中のＺ部の拡大図である。
【図４】（Ａ）は本発明の実施例３に係るミラー押え部材とポリゴンミラーとの位置決め構造を示す断面図、（Ｂ）は（Ａ）中のＺ部の拡大図である。
【符号の説明】
【００２５】
１…回転軸
２…回転盤
２ａ…ミラー受部
３…ロータケース
４…マグネット
５，５′，５″…ポリゴンミラー
５ａ…中央孔
６…固定用ネジ
７，７′，７″…ミラー押え部材
７ａ…中央板部
７ｂ…押えバネ片
Ｄ…角部
Ｅ，ｅ…下端辺
Ｆ，Ｆ′，Ｆ″…折曲部
Ｈ，Ｈ′…テーパ穴
Ｐ…尖端
Ｒ…反射面
Ｓ，Ｓ′…棘状突片
Ｘ…球面状突起
Ｙ…湾曲状切欠き部
【図１】
2007292916.tif 000003
【図２】
2007292916.tif 000004
【図３】
2007292916.tif 000005
【図４】
2007292916.tif 000006